(57)【要約】【課題】  エレベータにおいて、最上段ガイドレールの上端に巻上機を設置する場合に巻上機の真上に揚重機を取り付けると、巻上機を設置位置まで揚重するだけのストロークを確保することができない。【解決手段】  ベースブラケット９を巻上機設定位置の上方に位置するように昇降路側面４に設置する。一端が巻上機８に取り付けられるワイヤロープ１９をベースブラケット９上に設けられた滑車装置１３により案内させてワイヤロープ１９の他端側を巻上機設置位置よりも下方の位置に導く。そして、該位置でワイヤロープ１９の他端側をチェーンブロック２２により下方に引っ張って巻上機８を設置位置まで上昇させる。【選択図】      図１
2005067813.tif 000002
【特許請求の範囲】
【請求項１】
ガイドレール上端に設定された巻上機設定位置よりも上方に位置するように昇降路側面に設置されるベースブラケットと、一端が巻上機に取り付けられるロープと、前記ベースブラケット上に設けられ前記ロープを長手方向に案内すると共に前記ロープの他端側を下方に導く案内手段とを具備し、前記ロープの他端側を下方に引っ張ることにより巻上機が上昇するようにしたことを特徴とするエレベータの巻上機の揚重治具。
【請求項２】
前記ベースブラケットが昇降路上部に設置される巻上機以外の機器の取付台を兼ねることを特徴とする請求項１記載のエレベータの巻上機の揚重治具。
【請求項３】
前記案内手段が前記ベースブラケットに対して前記昇降路側面に接離する方向に移動可能に取り付けられたことを特徴とする請求項１又は請求項２記載のエレベータの巻上機の揚重治具。
【請求項４】
前記案内手段から前記ロープが外れるのを防止するロープ外れ止め手段を設けたことを特徴とする請求項１乃至請求項３のいずれか一項に記載のエレベータの巻上機の揚重治具。
【請求項５】
請求項１乃至請求項４のいずれか一項に記載の揚重治具を用いたエレベータの巻上機の揚重方法であって、前記ベースブラケットを巻上機設置位置よりも上方に位置するように昇降路側面に設置し、前記ロープを前記案内手段により案内させて前記ロープの他端側を巻上機設置位置よりも下方の位置に導き、該位置で前記ロープの他端側を揚重機により下方に引っ張って巻上機を巻上機設置位置まで上昇させることを特徴とするエレベータの巻上機の揚重方法。
【発明の詳細な説明】
【技術分野】
【０００１】
本発明は、エレベータの巻上機を昇降路内に設置するために用いられる揚重治具及びこれを用いた揚重方法に関する。
【背景技術】
【０００２】
昇降路に設置される巻上機の揚重は、巻上機が最上段ガイドレールの背面に取り付けられる場合には、揚重機を巻上機設置位置の真上に取り付けても巻上機を吊り上げるためのストロークを確保することができるので、容易であった。
【０００３】
従来のこのような場合の巻上機の揚重方法を図５を用いて説明する。まず、昇降路１０１の天井１０２に設置したフック１０３にチェーンブロック１０４を吊り下げ支持させ、このチェーンブロック１０４を用いて巻上機１０５を昇降路１０１内に取り込む。
【０００４】
次に、ガイドレール１０６を取り外し、昇降路１０１の天井１０２における巻上機設置位置付近の箇所に予め設置しておいた吊り元１０７にチェーンブロック１０８を吊り下げ支持させ、このチェーンブロック１０８を用いて巻上機１０５を設置位置まで引き込む。
【０００５】
そして、ガイドレール１０６を元の位置に取り付け、巻上機１０５をガイドレール１０６の背面側に取り付ける。
【０００６】
このように巻上機を最上段ガイドレールの背面側に取り付けるのではなく、最上段ガイドレールの上端にマシンベッドを介して取り付ける場合には、巻上機上面と昇降路天井との間の隙間の高さが３００ｍｍ程度しかないため、巻上機設置位置の真上に揚重機を取り付けると、巻上機を設置位置まで揚重するだけのストロークを確保することができない。
【発明の開示】
【発明が解決しようとする課題】
【０００７】
解決しようとする問題点は、ガイドレール上端に巻上機を設置する場合に巻上機設置位置の真上に揚重機を取り付けると、巻上機を設置位置まで揚重するだけのストロークを確保することができない点である。
【課題を解決するための手段】
【０００８】
本発明の揚重治具は、ガイドレール上端に設定された巻上機設定位置よりも上方に位置するように昇降路側面に設置されるベースブラケットと、一端が巻上機に取り付けられるロープと、前記ベースブラケット上に設けられ前記ロープを長手方向に案内すると共に前記ロープの他端側を下方に導く案内手段とを具備し、前記ロープの他端側を下方に引っ張ることにより巻上機が上昇するようにしたことを特徴とする。
【発明の効果】
【０００９】
本発明は、ベースブラケットを巻上機設置位置よりも上方に位置するように昇降路側面に設置し、ロープを案内手段により案内させてロープの他端側を巻上機設置位置よりも下方の位置に導き、該位置でロープの他端側を揚重機により下方に引っ張って巻上機を巻上機設置位置まで上昇させるようにすることにより、巻上機を設置位置まで揚重するだけのストロークを確保することができるので、巻上機を容易に揚重することができる。
【発明を実施するための最良の形態】
【００１０】
巻上機設置位置よりも下方の位置で揚重を行うという目的を簡単且つ安価な構成で実現した。
【実施例１】
【００１１】
図１は本発明の第１実施例の揚重治具及び昇降路上部の斜視図、図２は図１の要部拡大図３は図１の要部拡大平面図である。図１において、１は乗りかごを案内するガイドレールとしての本線レール、２は釣り合いおもりを案内するガイドレールとしてのＣ／Ｗレールで、それぞれ昇降路内に垂直に設置されている。本線ガイドレール１は複数個のレールブラケット３を介して昇降路側面４に固定されている。本線レール１、Ｃ／Ｗレール２の上端にはベース５、６を介してマシンベッド７が取り付けられる。このマシンベッド７の上面が巻上機８の設置位置となる。
【００１２】
９はベースブラケットで、昇降路側面４の上部で巻上機８の設置位置の上方に設置される。ベースブラケット９は、昇降路側面４に固定される取付板１０と、一端が取付板１０の上端に左右対称に固定されると共に昇降路側面４に直交する方向に突出した左右一対のアーム１１と、これらの上面間に架け渡された支持板１２とを備えている。各アーム１１は一対の断面Ｌ字形のレール状部材を組み合わせることにより構成されている。
【００１３】
支持板１２上には案内手段としての滑車装置１３が取り付けられている。この滑車装置１３は、図２に示すように、滑車１４と、この滑車１４を回転自在に軸支する左右一対の軸受板１５とからなっている。軸受板１５の底壁には昇降路側面９と直交する方向に延びる長孔１６（図３参照）が形成されている。各軸受板１５はボルト１７を介して支持板１２に固定されていて、ボルト１７を緩めることで長孔１６の長手方向（昇降路側面４に接離する方向）に移動させることができる。このようにすることで、昇降路寸法が異なる複数の現場に一つの機種で対応することが可能となる。
【００１４】
また、各軸受板１５にはロープ外れ止め手段１８が設けられている。このロープ外れ止め手段１８は、滑車１４の外周部に巻き掛けられたワイヤロープ１９（後述）が衝撃で滑車１４の外周部から外れるのを防ぐためのもので、図３に示すように、両端にネジが形成された直線状の棒体１８ａと、その両端に螺着されたナット１８ｂとから成っている。棒体１８ａは両端を軸受板１５に形成された貫通孔１５ａに貫通させて両端にナット１８ｂを螺着することにより各軸受板１５に取り付けられる。
【００１５】
次に、巻上機８の揚重を行う手順を説明する。まず、昇降路側面４に、ベースブラケット９を、その横方向中心が巻上機８の吊り下げ支点と対向する位置で、且つ滑車１４にワイヤロープ１９を巻き掛けることができる範囲において、できるだけ高い位置に取り付ける。
【００１６】
この際、ベースブラケット９の昇降路側面４への取り付けは、ＲＣ構造（コンクリートで造られた建物）の場合はアンカーボルトで、鉄骨構造の場合は溶接で、レールブラケット３を取り付けているポストビーム（図示せず）に固定する。
【００１７】
本線レール１、Ｃ／Ｗレール２の上端にベース５、６を取り付け、その上にマシンベッド７を取り付ける。そして、滑車装置１３のロープ外れ止め手段１８を外し、ワイヤロープ１９を滑車１４の外周部に巻き掛ける。そして、ロープ外れ止め手段１８を取り付けてワイヤロープ１９が外れないようにする。
【００１８】
昇降路外で巻上機８の上面に吊り元プレート２０を取り付け、揚重機等を使用して巻上機８を昇降路内に取り込む。ワイヤロープ１９の一端を掛止部２１に取り付け、ワイヤロープ１９の他端側を支持板１２に形成された貫通孔（図示せず）を介して下方に導く。
【００１９】
そして、マシンベッド７よりも下方においてワイヤロープ１９の他端に揚重機としてのチェーンブロック２２を取り付ける。また、マシンベッド７の２、３段下のレールブラケット３にワイヤロープ２３を掛けて、このワイヤロープ２３をチェーンブロック２２の可動フック２４に掛ける。
【００２０】
チェーンブロックは、ギヤを収納したケースの上下にフックが設けられ、揚重用と操作用のチェーンを備えていて、上部のフックを吊り元に掛け、もう一方のフックを吊り荷に掛けて操作用のチェーンを巻き上げることで吊り荷を揚重するように構成したものである。
【００２１】
チェーンブロック２２を巻き上げるとワイヤロープ１９が下方に引っ張られて巻上機８が上昇する。巻上機８をマシンベッド７の位置まで上昇させてマシンベッド７の上面に取り付ける。
【００２２】
このように、巻上機設置位置よりも上方にチェーンブロックを設置せず、巻上機設置位置よりも下方の位置でワイヤロープ１９の他端側をチェーンブロック２２により下方に引っ張って巻上機８を揚重するようにしたため、巻上機８を設置位置まで揚重するだけのストロークを確保することができるので、巻上機８を容易に揚重することができる。
【００２３】
なお、本発明の揚重治具をセットする作業は、昇降路側面４にベースブラケット９を設置し、ワイヤロープ１９を滑車装置１３により案内させると共にワイヤロープ１９の他端側を巻上機設置位置の下方に導くだけであるので、時間もかからず容易に行うことができる。
【００２４】
また、本発明の揚重治具はシンプルな構造であるため、安価に製作することができる。
【００２５】
また、本実施形態では、巻上機８の揚重を行った後に、ベースブラケット９を、昇降路上部に取り付ける巻上機８以外の機器（例えばトスランダー、ガバナー、ロープヒッチ等）の取り付け台として使用することもできるようになっており、部品点数の低減を図ることができる。
【実施例２】
【００２６】
次に、本発明の第２実施例を説明する。図４は第２実施例の揚重治具の要部拡大図である。なお、本実施例において、第１実施例と同一又は類似の部分には同一符号を用いており、重複する説明は省略してある。
【００２７】
本実施例では、昇降路側面４にプレート２５をアンカーボルトや溶接等により取り付け、このプレート２５にベースブラケット９をボルト２６で取り付けるようにしている。
【００２８】
このようにすることで、ベースブラケット９を所望の位置に取り付けることができるようになるため、一種類の揚重治具で複数機種のエレベータに対応することができる。揚重治具が複数種類有る場合には、昇降路に取り付ける揚重治具を間違える恐れが有るが、本実施例のようにすると、揚重治具は一種類しかなくなるので、そのような恐れがなくなる。
【図面の簡単な説明】
【００２９】
【図１】本発明の第１実施例の揚重治具及び昇降路上部の斜視図である。
【図２】図１の要部拡大図である。
【図３】図１の要部拡大平面図である。
【図４】本発明の第２実施例の揚重治具の要部拡大図である。
【図５】従来の巻上機の揚重方法の説明図である。
【符号の説明】
【００３０】
１  本線レール（ガイドレール）
２  Ｃ／Ｗレール（ガイドレール）
４  昇降路側面
８  巻上機
９  ベースブラケット
１３  滑車装置（案内手段）
１８  ロープ外れ止め手段
１９  ワイヤロープ
２２  チェーンブロック（揚重機）
【図１】
2005067813.tif 000003
【図２】
2005067813.tif 000004
【図３】
2005067813.tif 000005
【図４】
2005067813.tif 000006
【図５】
2005067813.tif 000007